(57)【特許請求の範囲】
【請求項１】
筒状プラスチック袋の両側を谷折りにして、内容物を充填後に左右端部を左シール部と右シール部においてヒートシールした形状の複数の衛生用品等を収納するガゼット状の包装袋であって、衛生用品等の広い面同士を重ね合わせて所定枚数並べたものを一列とし、該衛生用品等の列を一列あるいは複数列並列したものをその広い面に圧力を加えて圧縮し、これを包装した状態で、衛生用品等の広い面と接し、衛生用品等を収納して封をする２つの面である左面、右面と、列を形成する所定枚数並んだ衛生用品の狭い面と接する面である側面、上面、側面および下面とにより構成される衛生用品等の包装袋において、
サイドシール部を前記上面の前記側面との境界線近くに設け、開封用ミシン目が、前記左シール部から、前記左面の上部、前記上面、前記右面の上部を通り、前記右シール部まで、連続した線状で、前記サイドシール部の前記境界線と反対側の根元近傍に設けられて引き裂き開封部を形成し、かつ、前記サイドシール部を前記境界線と反対側に倒して設けたことを特徴とする衛生用品等の包装袋。
【請求項２】
前記開封用ミシン目が、前記左シール部のほぼ中央部に２本のミシン目を設けられ、前記左面の下部において前記ミシン目の根元を結ぶ線に沿って設けられ、かつ、前記ミシン目の根元を起点として前記左面の上部を斜めに前記上面と前記側面との境界まで設けられて、引き裂き開封部を形成していることを特徴とする請求項１に記載の衛生用品等の包装袋。
【発明の詳細な説明】
【０００１】
【発明の属する技術分野】
本発明は、衛生用品等の包装袋に関する。さらに詳しくは圧縮状態で包装された衛生用品等の包装袋に関する。
【０００２】
【従来の技術】
従来より、衛生用品等を複数収納する包装袋には、筒状プラスチック袋の両側を谷折りにして、かつ左右端部をヒートシールした形状のガゼット状の包装袋は使用されている。また、一般に包装袋の正面に開封用のミシン目の切込み線が設けられており、消費者がそのミシン目に沿って開封して内容物を取り出すようになっている。
【０００３】
【発明が解決しようとする課題】
しかしながら、従来のミシン目の形状では、開封しにくく、内容物を取り出しにくく、かつ開封した後に残った内容物が外へ出てしまいやすいという問題がある。
【０００４】
本発明は、上記の問題点を解決し、開封用のミシン目により引き裂き開封部が容易に開封でき、また、内容物を取り出し易く、さらに、開封後にリクローズができ内容物が包装袋の外へ飛び出したりしない衛生用品等の包装袋を提供することを目的とするものである。
【０００５】
【課題を解決するための手段】
本発明は、筒状プラスチック袋の両側を谷折りにして、内容物を充填後に左右端部を左シール部と右シール部においてヒートシールした形状の複数の衛生用品等を収納するガゼット状の包装袋であって、衛生用品等の広い面同士を重ね合わせて所定枚数並べたものを一列とし、該衛生用品等の列を一列あるいは複数列並列したものをその広い面に圧力を加えて圧縮し、これを包装した状態で、衛生用品等の広い面と接し、衛生用品等を収納して封をする２つの面である左面、右面と、列を形成する所定枚数並んだ衛生用品の狭い面と接する面である側面、上面、側面および下面とにより構成される衛生用品等の包装袋において、少なくとも前記左シール部、前記上面、前記左面、前記右面、前記右シール部に連続した線状の開封用ミシン目が設けられて、引き裂き開封部を形成していることを特徴とする衛生用品等の包装袋である。
【０００６】
具体的には、前記開封用ミシン目が、前記左シール部から、前記左面の上部、前記上面、前記右面の上部を通り、前記右シール部まで、連続した線状で設けられて、引き裂き開封部を形成していることを特徴とする。
また、前記包装袋において、サイドシール部を前記上面の前記側面との境界線近くに設け、前記開封用ミシン目が、前記サイドシール部の前記境界線と反対側の根元近傍に設けられて、引き裂き開封部を形成していることを特徴とする。その場合、前記サイドシール部を前記境界線と反対側に倒して設けたことを特徴とする。
【０００７】
さらに、前記開封用ミシン目が、前記左シール部のほぼ中央部に２本のミシン目を設けられ、前記左面の下部において前記ミシン目の根元を結ぶ線に沿って設けられ、かつ、前記ミシン目の根元を起点として前記左面の上部を斜めに前記上面と前記側面との境界まで設けられて、引き裂き開封部を形成していることを特徴とする。
【０００８】
本発明によれば、開封しやすく、また、内容物を取り出し易く、さらに、開封後にリクローズができ内容物が包装袋の外へ飛び出したりしない衛生用品等の包装袋を得ることができる。
【０００９】
【発明の実施の形態】
以下、本発明の衛生用品等の包装袋の詳細に説明する。本発明における衛生用品等とには、使いすておむつ、生理用ナプキン、ライナー、ティッシュペーパー、ぺーパータオル、個包装したウェットティッシュなどを挙げることができる。また、包装袋としては通常ポリエチレン製のフィルムが用いられ、例えば、二軸延伸の５０〜１００μｍのポリエチレンフィルムなどがある。本発明は、これらに限定されるものではない。
【００１０】
まず、本発明の衛生用品等の包装袋では、シール部のないチューブ状のプラスチックフィルムあるいは流れ方向にサイドシールを行ったチューブ状のプラスチックフィルムが用いられ、その両側面が谷折りされた状態で供給され、その内部に内容物である衛生用品等が収納された後、左右がヒートシールされ、所定の長さに切断される。
【００１１】
本発明の衛生用品等の包装袋においては、包装される衛生用品等は、折り畳まれて広い面同士を重ね合わせて所定枚数並べたものを一列とし、水平方向に、複数並列に配列し、この状態で衛生用品等の広い面に圧力を加えて圧縮して包装する。包装袋は、衛生用品等を包装した状態において、衛生用品等の広い面に接し、衛生用品等を収納して封をする左面、右面と、列を形成する所定枚数並んだ衛生用品等と接する面である側面、上面、側面および下面から形成されている。
【００１２】
本発明の衛生用品等の包装袋においては、上記の包装袋に内容物の開封用のミシン目が設けられ、引き裂き開封部が形成されており、その位置および形態に関して発明がなされている。
【００１３】
図１は、本発明の衛生用品等の包装袋の第一の形態の一実施例を示す図である。包装袋Ａは、上面１、側面２、下面３、側面４、左面５、右面６、左シール部７および右シール部８とからなっている。また、左面５は左シール部７により上側を左面上部５ａとし、下側を左面下部５ｂとしている。そして、同様に、右面６は右シール部８により上側を右面上部６ａとし、下側を右面下部６ｂとしている。
【００１４】
図２は、衛生用品等の内容物を充填する前の折り畳んだ状態の包装袋の正面図である。図２−ａのように、両シール部を設ける前に、開封用ミシン目Ｐを流れ方向に直線状に設けている。
【００１５】
衛生用品等の内容物Ｒが充填された状態では、図１に示すように、引き裂き開封部Ｏを形成する開封用ミシン目Ｐは、左シール部７から、左面５、上面１、右面６および右シール部８まで、直線状に設けられている。この開封用ミシン目Ｐは、曲線、波線、ジグザグ線としてもよく、図２−ｂに示すように、上面１の位置で指を差し込む部分を設けてもよい。その位置は、側面２との境界線Ｑの近くであり、かつ、境界線Ｑより１０ｍｍ以上離れた位置に設けることが好ましい。境界線Ｑからの距離が１０ｍｍ未満だと開封後にリクローズがしにくく、内容物Ｒが飛び出し易くなる。また、この開封用ミシン目Ｐは、内容物Ｒを充填した後に設けることもできる。その場合には、左シール部７の根元から、左面５、上面１、右面６および右シール部８の根元まで、直線状に設ける。
【００１６】
ミシン目の大きさ、間隔等は特に制限はなく通常使用される大きさ、間隔のもので良いが、圧縮包装であるが故に、保存中破れないだけの強度は必要である。
【００１７】
本発明の衛生用品等の包装袋Ａを開封するには、図３に示すように、開封用ミシン目Ｐの一部を、指で押す部分が設けられた形状の場合にはその部分を、指で押して引き裂いた後、その部分からミシン目に沿って破断し引き裂き開封部Ｏを開封する。開封後は、図４に示すように、開口から内容物Ｒである衛生用品等を順次取り出すことができる。包装袋の上の部分が開封されているだけであり、形が崩れることもなく、内容物Ｒが飛び出すこともない。
【００１８】
図５は、本発明の衛生用品等の包装袋の第二の形態の一実施例を示す斜視図である。包装袋Ｂは、サイドシール部のあるチューブ状のプラスチックフィルムから作成され、上面１、側面２、下面３、側面４、左面５、右面６、左シール部７、右シール部８およびサイドシール部９とからなっている。
【００１９】
図６は、内容物Ｒを充填する前の折り畳んだ状態の包装袋の正面図である。図６に示すように、サイドシール部９は、側面２との境界線Ｑの近くであり、かつ、境界線Ｑより１０ｍｍ以上離れた位置に設けることが好ましい。また、側面２と反対側に倒された形状とされる。
【００２０】
引き裂き開封部Ｏを形成する開封用ミシン目Ｐは、サイドシール部９の根元の近傍で、境界線Ｑの反対側に、根元に沿って、上面１の左シール部７から左面５、上面１、右面６、そして右シール部８まで直線状に設けられている。開封用ミシン目Ｐの位置は、サイドシール部９の根元の近傍の位置に設けることが好ましい。すなわち、開封用ミシン目Ｐの位置も、側面２との境界線Ｑの近くであり、かつ、境界線Ｑより１０ｍｍ以上離れた位置に設けることが好ましい。境界線Ｑからの距離が１０ｍｍ未満だと開封後にリクローズがしにくく、内容物Ｒが飛び出し易くなる。
【００２１】
また、サイドシール部９は、側面２との境界線Ｑの反対側に倒して設ける事が好ましい。こうすることによって、引き裂き開封部Ｏを開封する際に、サイドシール部９を指で摘んで起こす動作でもって、簡単に開封用ミシン目Ｐを引き裂くことができる。
【００２２】
ミシン目の大きさ、間隔等は、包装袋Ａと同様に、特に制限はなく通常使用される大きさ、間隔のもので良いが、圧縮包装であるが故に、保存中破れないだけの強度は必要である。
【００２３】
本発明の衛生用品等の包装袋Ｂを開封するには、図７に示すように、サイドシール部９の一部を指で摘まみ側面２の方向に向けて開封用ミシン目Ｐを引き裂いた後、その部分からミシン目に沿って破断し引き裂き開封部Ｏを開封する。開封後は、図８に示すように、開口から内容物Ｒである衛生用品等を順次取り出すことができる。包装袋の上の部分が開封されているだけであり、形が崩れることもなく、内容物Ｒが飛び出すこともない。
【００２４】
図９は、本発明の衛生用品等の包装袋の第三の形態の一実施例を示す図である。包装袋Ｃは、第一の形態の包装袋Ａと同様に、上面１、側面２、下面３、側面４、左面５、右面６、左シール部７および右シール部８とからなっている。また、左面５は左シール部７により上側を左面上部５ａとし、下側を左面下部５ｂとしている。そして、同様に、右面６は右シール部８により上側を右面上部６ａとし、下側を右面下部６ｂとしている。
【００２５】
内容物Ｒが充填された状態では、図９に示すように、引き裂き開封部Ｏを形成する開封用ミシン目Ｐは、ミシン目αと、ミシン目βと、ミシン目γとの部分に分けられる。まず、左右シール部の一方のほぼ中央部、この図では左シール部７に外側から内側へ平行な２本のミシン目αが設けられている。この２本のミシン目αの部分を指で摘んで開封を開始する。つぎに、左面下部５ｂにおいて、この２本のミシン目αの根元を結ぶ線に沿ってミシン目βが設けられている。さらに、左面上部５ａにおいて、２本のミシン目αの根元からそれぞれ外側の方向に上面１と側面２の境界および上面１と側面４の境界までミシン目γ、γが設けられている。このミシン目γは直線でもよいが、図のように円弧状とすることが好ましい。
【００２６】
ミシン目の大きさ、間隔等は、特に制限はなく通常使用される大きさ、間隔のもので良いが、圧縮包装であるが故に、保存中破れないだけの強度は必要である。
【００２７】
本発明の衛生用品等の包装袋Ｃを開封するには、図９に示すように、開封用ミシン目Ｐの一部である左シール部７に設けられたミシン目α、αの間の部分を指で摘まみ、上の方向に向けて引っ張ることにより、左シール部７に設けられたミシン目α、αが引き裂かれ、そして、左面下部５ｂに設けられたミシン目βが引き裂かれ、さらに上方に引っ張ることにより、左面上部５ａに設けたミシン目γ、γが引き裂かれ、全体の開封用ミシン目Ｐが引き裂かれることによって、引き裂き開封部Ｏが開封される。開封後は、図１０に示すように、開口から内容物Ｒである衛生用品等を順次取り出すことができる。包装袋の上の部分が開封されているだけであり、形が崩れることもなく、内容物Ｒが飛び出すこともない。
【００２８】
本発明の衛生用品等の包装袋Ｃにおいては、開封用ミシン目Ｐを包装袋の左面５および左シール部７に設けているが、勿論、包装袋の右面６および右シール部８に設けてもよい。
【００２９】
【発明の効果】
本発明によれば、開封用のミシン目により引き裂き開封部が開封しやすく、また、内容物である衛生用品等を１枚づつ容易に取り出して使用することができ、さらに、開封後にリクローズができ内容物である衛生用品等が包装袋の外へ飛び出したりしない衛生用品等の包装袋を得ることができる。
【図面の簡単な説明】
【図１】本発明の衛生用品等の包装袋の第一の形態の一実施例を示す斜視図である。
【図２】図１に示す本発明の衛生用品等の包装袋の充填前の状態の正面図である。
【図３】図１に示す本発明の衛生用品等の包装袋を開封する状態を示す斜視図である。
【図４】図１に示す本発明の衛生用品等の包装袋を開封した状態を示す斜視図である。
【図５】本発明の衛生用品等の包装袋の第二の形態の一実施例を示す斜視図である。
【図６】図５に示す本発明の衛生用品等の充填前の状態の正面図である。
【図７】図５に示す本発明の衛生用品等の包装袋を開封する状態を示す斜視図である。
【図８】図５に示す本発明の衛生用品等の包装袋を開封した状態を示す斜視図である。
【図９】本発明の衛生用品等の包装袋の第三の形態の一実施例を示す斜視図である。
【図１０】図９に示す本発明の衛生用品等の包装袋を開封した状態を示す斜視図である。
【符号の説明】
Ａ  本発明の衛生用品等の包装袋（第一の実施の形態）
Ｂ  本発明の衛生用品等の包装袋（第二の実施の形態）
Ｃ  本発明の衛生用品等の包装袋（第三の実施の形態）
１  上面
２  側面
３  下面
４  側面
５  左面
５ａ左面上部
５ｂ左面下部
６  右面
６ａ右面上部
６ｂ右面下部
７  左シール部
８  右シール部
９  サイドシール部
Ｏ  引き裂き開封部
Ｐ  開封用ミシン目
Ｑ  境界線
Ｒ  内容物
α、β、γ  ミシン目
【図１】
0004220076.tif 000002
【図２】
0004220076.tif 000003
【図３】
0004220076.tif 000004
【図４】
0004220076.tif 000005
【図５】
0004220076.tif 000006
【図６】
0004220076.tif 000007
【図７】
0004220076.tif 000008
【図８】
0004220076.tif 000009
【図９】
0004220076.tif 000010
【図１０】
0004220076.tif 000011